(57)【要約】      （修正有）【課題】装飾を容易にして作業時間を短縮させ、また、多彩な装飾を可能とし、かつ、装飾することで美感に優れた身の回り品を提供する。【解決手段】装飾品１０が複数装飾された身の回り品１２０であって、装飾品は、複数の穴１５を有し、かつ装飾加工された木材からなり、木材は紐又は糸で縫い付けられるか、接着剤で母材に取り付けられている。【選択図】図３
0003222133.tif 000002
【実用新案登録請求の範囲】
【請求項１】
装飾品が複数装飾された身の回り品であって、
前記装飾品は、複数穴あけされ、かつ装飾加工された木材であることを特徴とする身の回り品。
【請求項２】
前記木材は、紐又は糸で縫い付けられ又は接着剤によって取り付けられていることを特徴とする請求項１に記載の身の回り品。
【請求項３】
前記装飾品のみからなることを特徴とする請求項１に記載の身の回り品。
【請求項４】
前記木材の厚みは、１ｍｍ〜１２ｍｍであることを特徴とする請求項１〜３のいずれかに記載の身の回り品。
【請求項５】
前記木材の厚みは、１ｍｍ〜５ｍｍであることを特徴とする請求項１〜４のいずれかに記載の身の回り品。
【請求項６】
前記木材の表面は、焼き付けされた模様又は文字が施されたことを特徴とする請求項１〜５のいずれかに記載の身の回り品。
【考案の詳細な説明】
【技術分野】
【０００１】
本考案は、装飾品が複数装飾された身の回り品に関する。
【背景技術】
【０００２】
身の回り品に装飾を施す場合、金属やビーズなどを取り付け装飾させる。
【０００３】
例えば特許文献１では、財布や名刺入れ、かばん、バッグ類、袋物等の身回品の表面素材に所定の間隔で穿孔し、その所定間隔に設けた各孔に、孔開け加工を施して紐類を挿通したビーズ類を配置し、かつ適宜の固定手段で固定したことを特徴とする装飾を施した身回品が記載されている。
【先行技術文献】
【特許文献】
【０００４】
【特許文献１】特開２００２−１７２００６号公報
【考案の概要】
【考案が解決しようとする課題】
【０００５】
しかしながら、金属やプラスチックなどの装飾品を加工し、身の回り品への装飾は、加工が困難で、作業に手間がかかる。また、金属やプラスチック加工や身の回り品への取り付けが困難なため、多彩な装飾が不可能である。
【０００６】
そこで、本考案は身の回り品への装飾を容易にして作業時間を短縮させ、また、多彩な装飾を可能とし、かつ、装飾することで美感に優れた身の回り品を提供することを目的とする。
【課題を解決するための手段】
【０００７】
本考案の一態様に係る身の回り品は、装飾品が複数装飾された身の回り品であって、前記装飾品は、複数穴あけされ、かつ装飾加工された木材であることを特徴とする。
【０００８】
このようにすれば、装飾品が加工しやすい木材であるので、身の回り品への装飾を容易にして作業時間を短縮させ、また、多彩な装飾を可能とし、かつ、装飾することで美感に優れた身の回り品を提供することができる。
【０００９】
このとき、本考案の一態様では、前記木材は、紐又は糸で縫い付けられ又は接着剤によって取り付けられていても良い。
【００１０】
このようにすれば、さらに身の回り品への装飾を容易にして作業時間を短縮させ、また、多彩な装飾を可能とすることができる。
【００１１】
このとき、本考案の一態様では、前記装飾品のみからなるとしても良い。
【００１２】
このようにすれば、さらに身の回り品への装飾が独創的かつ美観で多彩な装飾を可能とすることができる。
【００１３】
また、本考案の一態様では、前記木材の厚みは、１ｍｍ〜１２ｍｍとしても良い。
【００１４】
このようにすれば、装飾における木材の加工が容易になり、身の回り品への装飾を容易にして作業時間を短縮させ、また、多彩な装飾を可能とすることができる。
【００１５】
また、本考案の一態様では、前記木材の厚みは、１ｍｍ〜５ｍｍとしても良い。
【００１６】
このようにすれば、さらに装飾における木材の加工が容易になり、身の回り品への装飾を容易にして作業時間を短縮させ、また、多彩な装飾を可能とすることができる。
【００１７】
また、本考案の一態様では、前記木材の表面は、焼き付けされた模様又は文字が施されても良い。
【００１８】
このようにすれば、さらに多彩な装飾を可能とし、かつ、装飾することで美感に優れた身の回り品を提供することができる。
【考案の効果】
【００１９】
以上説明したように本考案によれば、身の回り品への装飾を容易にして作業時間を短縮させ、また、多彩な装飾を可能とし、かつ、装飾することで美感に優れた身の回り品を提供することができる。
【図面の簡単な説明】
【００２０】
【図１】図１は、本考案の一実施形態に係る身の回り品（財布）を示す概略図である。
【図２】図２は、本考案の一実施形態に係る身の回り品（鞄）を示す概略図である。
【図３】図３は、本考案の一実施形態に係る身の回り品（ボード）を示す概略図である。
【図４】図４は、本考案の一実施形態に係る身の回り品（壁掛け）を示す概略図である。
【図５】図５は、本考案の一実施形態に係る身の回り品に用いられる装飾品の概略図である。
【考案を実施するための形態】
【００２１】
以下、図面を参照して、本考案の好適な実施の形態について詳細に説明する。なお、以下に説明する本実施形態は、実用新案登録請求の範囲に記載された本考案の内容を不当に限定するものではなく、本実施形態で説明される構成の全てが本考案の解決手段として必須であるとは限らない。
【００２２】
図１に示すように、本考案の一実施形態に係る身の回り品１００は、装飾品１０が複数装飾された身の回り品であって、上記装飾品１０は、複数穴あけされ、かつ装飾加工された木材であることを特徴とする。以下詳細に説明する。
【００２３】
身の回り品１００、１１０、１２０は例えば、図１−２に示すように、財布、鞄、鍋敷き、その他名刺入れ、カードケース、小銭入れ、化粧ポーチ、帽子、衣類、サンダルなどに適用できる。また、身の回り品１３０は、図３−４に示すように、ボード、壁掛け、その他絵画、ウエルカムボード、照明や家具などのインテリア（室内装飾品）、パッチワーク、タペストリーなどにも適用できる。
【００２４】
図５に装飾品１０の一例を示す。図５に示すように装飾品１０は、複数穴あけされている。穴１５は２つでも３つ以上でも良い。穴１５は、紐や糸を通す役割と、デザイン的な役割があり、紐や糸を通さなくて使用しても良い。また、穴は丸に限らず、楕円、三角、四角、星、ハート型などが用いられる。装飾品１０は、装飾加工され、例えば、図５に示すような形状に装飾加工される。具体的には、星型、十字型、月型、雫型、ハート型、顔型、文字型、葉型、ツリー型などが挙げられる。なお図５に示す装飾品１０は一例であり、それらに限定されない。
【００２５】
装飾品１０は木材である。木材は加工がしやすく、作業性に富み、身の回り品への装飾を容易にして作業時間を短縮させ、また、多彩な装飾を可能とし、かつ、装飾することで美感に優れた身の回り品を提供することができる。
【００２６】
木材は様々な形状や色があり、集合体として加飾すると印刷や縫い目では出せない立体的な模様を作ることができる。また、木材は表面塗装されたことが好ましく、表面塗装は植物性のオイルやニス、塗料でコーティングすることが好ましい。また、木材としては、ウォールナット、メープル、サクラ、ヒバ、ヒノキ、ケヤキ、オーク、杉、栗等が挙げられる。
【００２７】
装飾品１０は、図１に示すように、あけられた穴１５に紐又は糸２０で布、革などの母材に縫い付けられることが好ましい。装飾品１０は、直線状に取り付けられてもよく、ランダムに取り付けられても良いが、作業性や取付性を考慮すると、当該穴１５は直線状にあけられ、装飾品１０は、直線状に取り付けられることが好ましい。あるいは、木材は、紐又は糸２０ではなく接着剤によって取り付けても良い。図３に示すようなボードの身の回り品１２０や、図４に示すような壁掛けの身の回り品１３０は、接着剤によって取り付けられることが好ましい。接着剤によって取り付ける場合、複数の穴が開いているため、接着剤の塗布面積が増えるため、接着力が強くなりより強固に接着させることができる。
【００２８】
このようにすれば、さらに身の回り品への装飾を容易にして作業時間を短縮させ、また、多彩な装飾を可能とすることができる。
【００２９】
図２に示すように上記装飾品のみからなることも好ましい。また、図１に示すように、身の回り品１１０は、２種類又は２種類以上の形状の装飾品を複数取り付けても良く、１種類の同形状の装飾品のみを取り付けても良く、図２に示すように１種類の形状の装飾品のみからなるとしても良く、２種類又は２種類以上の形状の装飾品からなるとしても良い。
【００３０】
上記木材の厚みは、１ｍｍ〜１２ｍｍであることが好ましく、さらに好ましくは、１ｍｍ〜５ｍｍである。
【００３１】
このようにすれば、さらに装飾における木材の加工が容易になり、身の回り品への装飾を容易にして作業時間を短縮させ、また、多彩な装飾を可能とすることができる。
【００３２】
また、上記木材の表面は、焼き付けされた模様又は文字が施されることが好ましい。このようにすれば、さらに多彩な装飾を可能とし、かつ、装飾することで美感に優れた身の回り品を提供することができる。
【００３３】
次に本考案の一実施形態に係る身の回り品１００、１１０、１２０、１３０の作成工程について説明する。
【００３４】
本考案の一実施形態に係る身の回り品１００、１１０、１２０、１３０の作成工程は、原木から切り出した製材を購入する（購入工程）。
【００３５】
購入工程後、製材をレーザー加工する木材の厚みに切断する（切断工程）。これが木材の厚みとなる。好ましい木材の厚みは上述した通りである。
【００３６】
切断工程後、装飾品となる木材のデザインを作成する（デザイン作成工程）。この工程では、図５に示すような形状をデザインする。
【００３７】
デザイン作成工程後、装飾品となる木材をレーザー加工機により、カット、穴あけ、焼き付けなどの表面加工を行う（加工工程）。レーザーを用いることで、同形状の装飾品を作成することが非常に容易になり、短時間で作成することができる。また、同一形状であるので、身の回り品の装飾に統一感が生まれ美感に優れる。また、加工工程では、木材側面からドリルで穴をあけ、紐又は糸を通し取り付けられても良い。
【００３８】
加工工程後、木材の表裏面をヤスリで研磨しヤニの除去、光沢出しをする（研磨工程）。このようにすれば、美感が向上する。
【００３９】
研磨工程後、木材の表裏面をエアーブローで研磨紛を除去する（研磨紛除去工程）。
【００４０】
表面塗装し、乾燥させる（塗装・乾燥工程）。表面塗装は、植物性のオイルやニス、塗料でコーティングすることが好ましい。
【００４１】
そして、乾燥させた装飾品を上述した鞄などに装飾し、身の回り品を完成させる。
【００４２】
穴があけられた木材を並べて、その穴の位置をデータ化し、台紙となる上記鞄などの布や皮の穴をレーザーや、打抜き刃（プレス機用）であける。このようにすれば、鞄などに一度に穴をあけられ、装飾品を取り付け装飾しやすいので、作業時間の短縮となる。
【００４３】
上記の工程を経て図１−４に示すような本考案の一実施形態に係る身の回り品１００、１１０、１２０、１３０が完成される。以上より本考案の一実施形態に係る身の回り品によれば、身の回り品への装飾を容易にして作業時間を短縮させ、また、多彩な装飾を可能とし、かつ、装飾することで美感に優れた身の回り品を提供することができる。
【００４４】
なお、上記のように本考案の各実施形態及び各実施例について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００４５】
例えば、明細書又は図面において、少なくとも一度、より広義又は同義な異なる用語と共に記載された用語は、明細書又は図面のいかなる箇所においても、その異なる用語に置き換えることができる。また、身の回り品の構成、動作も本考案の各実施形態及び各実施例で説明したものに限定されず、種々の変形実施が可能である。
【符号の説明】
【００４６】
１０  装飾品、１５  穴、２０  紐又は糸、１００、１１０、１２０、１３０  身の回り品
【図１】
0003222133.tif 000003
【図２】
0003222133.tif 000004
【図３】
0003222133.tif 000005
【図４】
0003222133.tif 000006
【図５】
0003222133.tif 000007